(57)【要約】  アプリケーションレイヤマルチキャストネットワークにおいてメディアデータを取得する方法及びシステムが開示され、具体的には、複数ノード間でメディア接続シグナリングをフォワードすることによって、メディアセッション情報などの、複数ノードのメディアデータ情報を正確に取得することができ、次に、取得されたメディアデータ情報に基づいて、対応するコーリング請求書を生成して、アプリケーションレイヤマルチキャストネットワークにおいてセミリアルタイム課金又はセミトラフィック課金を実現することができる。
2010532116.tif 000002
【特許請求の範囲】
【請求項１】
複数ノード間でメディア接続シグナリングを転送することと、
前記メディア接続シグナリングに従って、ノードのメディアセッション情報を取得すること
を含む、アプリケーションレイヤマルチキャストネットワークにおいてメディアデータを取得する方法。
【請求項２】
複数ノード間での前記メディア接続シグナリングを転送することは、
メディア接続を確立する複数ノードと、転送ＩＤとの間のマッピングを確立し、前記複数ノードが前記メディア接続を確立する際に、前記メディア接続シグナリング内の送信側ノード情報と、転送ＩＤと、マッピングとに従って、ノードを見出し、前記見出されたノードに、前記複数ノード間の前記メディア接続シグナリングを転送することを含む、請求項１に記載の方法。
【請求項３】
前記メディアセッション情報は、メディア接続ステータス情報と、ノードラベル情報とを含む、請求項１に記載の方法。
【請求項４】
アプリケーションレイヤマルチキャストネットワークにおいて適用されるメディアシグナリングエージェントであって、メディア接続プロセスにおいて、ノードから、接続されるピアノードへの、メディア接続シグナリングを受信し、前記ピアノードに前記メディア接続シグナリングを送信し、前記メディア接続シグナリングに従って、前記ノードのメディアセッション情報を取得するように構成された、メディアシグナリングエージェント。
【請求項５】
前記メディア接続プロセスにおいて前記ノードの前記メディア接続シグナリングを受信するように構成された、受信ユニットと、
メディア接続を確立する複数ノードと、転送ＩＤとの間のマッピングを確立し、前記複数ノードが前記メディア接続を確立する際に、前記メディア接続シグナリング内の送信側ノード情報と、前記転送ＩＤとに従って、ノードを見出すように構成された、処理ユニットと、
前記処理ユニットによって見出された前記ノードに、前記受信ユニットによって受信された前記メディア接続シグナリングを送信するように構成された、転送ユニットと、
前記転送ユニットによる、前記メディア接続シグナリングを転送するプロセスにおいて、前記ノードの前記メディアセッション情報を取得するように構成された、情報取得ユニットと
を備える、請求項４に記載のメディアシグナリングエージェント。
【請求項６】
前記情報取得ユニットによって取得された前記メディアセッション情報を報告するように構成された、情報報告ユニット
を更に備える、請求項５に記載のメディアシグナリングエージェント。
【請求項７】
アプリケーションレイヤマルチキャストネットワークにおいてメディアデータを取得するシステムであって、
メディア接続を確立するノードと、メディアシグナリングエージェントとを備え、前記ノードは、メディア接続プロセスにおいてメディア接続シグナリングを生成するように構成され、前記メディアシグナリングエージェントは、前記メディア接続シグナリングを転送し、前記メディア接続シグナリングに従って、ノードのメディアセッション情報を取得するように構成された、システム。
【請求項８】
前記メディアシグナリングエージェントは、
前記メディア接続プロセスにおいて前記ノードの前記メディア接続シグナリングを受信するように構成された、受信ユニットと、
前記メディア接続を確立する複数ノードと、転送ＩＤとの間のマッピングを確立し、前記複数ノードが前記メディア接続を確立する際に、前記メディア接続シグナリング内の送信側ノード情報と、前記転送ＩＤとに従って、ノードを見出すように構成された、処理ユニットと、
前記処理ユニットによって見出された前記ノードに、前記受信ユニットによって受信された前記メディア接続シグナリングを送信するように構成された、転送ユニットと、
前記受信ユニットによって受信された前記メディア接続シグナリングに従って、前記ノードの前記メディアセッション情報を取得するように構成された、情報取得ユニットと
を備える、請求項７に記載のシステム。
【請求項９】
アクセスノードとマルチキャストノードとの間でメディア接続シグナリングを転送することによって取得される、アクセスノードのメディアセッション情報を受信することと、  前記メディアセッション情報、及びセッションプロセスにおける前記アクセスノードのセッション情報に従って、呼詳細レコード（ＣＤＲ）を生成すること
を含む、アプリケーションレイヤマルチキャストネットワークにおける課金方法。
【請求項１０】
メディア接続プロセスにおいて、前記アクセスノードのトラフィック情報を収集し、前記トラフィック情報に従って、トラフィックベース課金ＣＤＲを生成することを更に含む、請求項９に記載の課金方法。
【請求項１１】
セッションプロセスにおいて、アクセスノード及びマルチキャストノードのセッション情報を収集及び報告するように構成された、セッションマネージャと、
メディア接続プロセスにおいて、前記アクセスノードと前記マルチキャストノードとの間でメディア接続シグナリングを転送し、前記アクセスノードのメディアセッション情報を収集及び報告するように構成された、メディアシグナリングエージェントと、
前記セッションマネージャによって報告される前記セッション情報、及び前記メディアシグナリングエージェントによって報告される前記メディアセッション情報に従って、呼詳細レコード（ＣＤＲ）を生成するように構成された、使用量メディエータ（ＵＭ）と
を備える、アプリケーションレイヤマルチキャストネットワークにおける課金システム。
【請求項１２】
前記メディア接続プロセスにおいて前記アクセスノードのトラフィック情報を収集及び報告するように構成された、トラフィックコレクタを更に備え、
前記ＵＭは、前記トラフィックコレクタによって報告される前記トラフィック情報に従って、トラフィックベース課金ＣＤＲを生成するように構成された、請求項１１に記載の課金システム。
【請求項１３】
前記トラフィックコレクタと前記メディアシグナリングエージェントとの間にインタフェースが構成され、前記インタフェースは、前記メディアシグナリングエージェントが、前記トラフィックコレクタを、トラフィック情報を収集するよう制御するように構成された、請求項１２に記載の課金システム。
【請求項１４】
前記アクセスノードと前記マルチキャストノードとの間でメディアデータストリームをフォワードし、前記フォワードされたメディアデータストリームのトラフィック情報を前記ＵＭに報告するように構成された、メディアエージェントと、
前記メディアエージェントと前記メディアシグナリングエージェントとの間に構成され、前記メディアシグナリングエージェントが、前記メディアエージェントを、トラフィック情報を報告するよう制御するように構成された、インタフェースと
を更に備える、請求項１１に記載の課金システム。
【請求項１５】
メディアシグナリングエージェントによって、前記メディアシグナリングエージェントと、トラフィックコレクタ又はメディアエージェントとの間のインタフェースを介して、前記トラフィックコレクタ又はメディアエージェントに、トラフィック情報の収集を開始又は停止するよう指示すること
を含む、アプリケーションレイヤマルチキャストネットワークにおいてトラフィック情報収集を制御する方法。
【請求項１６】
アクセスノードとマルチキャストノードとの間でメディアデータストリームをフォワードすることと、
前記メディアデータストリームに従って、トラフィック情報を収集及び報告すること
を含む、アプリケーションレイヤマルチキャストネットワークにおいてトラフィック情報報告を制御する方法。
【請求項１７】
前記アクセスノードと前記マルチキャストノードとの間でメディアデータストリームをフォワードすることは、メディアシグナリングエージェントによって、前記メディアシグナリングエージェントとメディアエージェントとの間のインタフェースを介して、前記メディアエージェントに、前記アクセスノードと前記マルチキャストノードとの間で伝送されるメディアデータストリームのフォワードを開始又は停止するよう指示することを含む、請求項１６に記載の方法。
【発明の詳細な説明】
【技術分野】
【０００１】
本発明は、ネットワーク通信技術に関し、特に、アプリケーションレイヤマルチキャストネットワークにおいてメディアデータを取得する方法及びシステムに関する。
【背景技術】
【０００２】
アプリケーションレイヤマルチキャスト（ＡＬＭ）ネットワークは、グループ内のメンバノードを論理的アプリケーションレイヤオーバレイネットワークに編成し、アプリケーションレイヤにおいてマルチキャストルーティングプロトコルを提供して、ネットワークを構築及び維持する。ＡＬＭネットワークは、アプリケーションレイヤにおいてフォワーディングツリーを構築する。データは、ＩＰプロトコルを介して、ユニキャストモードでノード間を伝送される。図１は、アプリケーションレイヤマルチキャストネットワークの構成を示す。図１のマルチキャストツリーは、マルチキャストソースとマルチキャストノードとからなる。通常、マルチキャストソースはサーバであり、マルチキャストノードは一般的なノードである。マルチキャストツリー内でのマルチキャストノードの様々な位置によって、マルチキャストノードは、中間ノードと葉ノードとに分類される。中間ノードは、上位レベルノードからデータストリームを受信して、受信したデータストリームを下位レベルノードにフォワードすることに関与する。葉ノードは、上位レベルノードからデータストリームを受信することのみに関与する。葉ノードは、受信したデータストリームを下位レベルノードにフォワードすることはできない。図１のセッションマネージャの機能は、ノードがアクセスされた場合にノードの親ノードを選択すること、及びマルチキャストツリーを管理することである。前述のマルチキャストツリーは、アプリケーションレイヤにおいて働く。ネットワークレイヤにおいては、ノード間のデータストリームはユニキャストストリームであり、すなわち、データはポイントツーポイントモードで伝送される。
【０００３】
図２は、従来技術における、マルチキャストツリー内での様々なメッセージ間の関係を示す。図２で、セッションマネージャは、マルチキャストツリー内の全てのノードと相互に作用して、ノードの参加及び離脱と、コンテンツの照会及び発行と、マルチキャストツリーの管理とを完了する。全てのノード間のメディア接続シグナリングは、セッションマネージャを通過せずに、ノード間で発生する。図３は、アプリケーションレイヤマルチキャストネットワークにおける、アクセスノードによるメディアデータストリームの取得の、簡易化した流れ図である。図３は以下のステップを含む。
【０００４】
ステップ１：ユーザ装置（ＵＥ）であってもよいアクセスノードは、セッションマネージャに、マルチキャストグループに参加するための要求を送信する。
【０００５】
ステップ２：認証の後で、セッションマネージャは、アクセスノードをマルチキャストグループに参加させ、次に、確認メッセージ、すなわち、２００  ＯＫメッセージを介して、アクセスノードに、参加が成功したことを通知する。
【０００６】
ステップ３：アクセスノードは、セッションマネージャに、サービングマルチキャストノードを要求する。マルチキャストノードは、データソースノード又は別のノードであってもよい。
【０００７】
ステップ４：セッションマネージャは、アクセスノードのためのサービングマルチキャストノードを選択し、選択されたノードをアクセスノードに返す。
【０００８】
ステップ５：アクセスノードは、マルチキャストノードに、メディア接続要求を送信する。
【０００９】
ステップ６：メディアパラメータをアクセスノードとネゴシエートした後で、マルチキャストノードは、確認メッセージ、すなわち、２００  ＯＫメッセージを送信する。
【００１０】
ステップ７：マルチキャストノードは、アクセスノードに、メディアデータストリームを伝送する。図３では、マルチキャストノードは、リアルタイムトランスポートプロトコル（ＲＴＰ）を介して、メディアデータストリームを伝送する。
【００１１】
ステップ８：アクセスノードは、マルチキャストグループを離脱できる状態にあり、アクセスノードの離脱をセッションマネージャに通知する。
【００１２】
ステップ９：セッションマネージャは、アクセスノードの離脱を管理し、アクセスノードに、確認メッセージ、すなわち、２００  ＯＫメッセージを返す。
【００１３】
ステップ１０：アクセスノードは、マルチキャストノードとのメディア接続を切断する。
【発明の概要】
【発明が解決しようとする課題】
【００１４】
本発明を実施するプロセスにおいて、発明者は以下の問題を見出した。従来技術におけるアプリケーションレイヤマルチキャストメッセージ伝送のプロセスでは、セッションマネージャは、ステップ１〜４及びステップ８で説明した、セッション参加及び離脱プロセスにおける、アクセスノード（すなわち、ＵＥ）の関連情報を取得することはできるが、セッションマネージャは、ステップ５及び６で説明した、メディア接続プロセスにおける、アクセスノードの関連情報（メディアセッション情報）を取得することはできず、セッションマネージャは、ステップ７で説明した、アクセスノードのメディアトラフィック情報も取得することはできない。従って、従来技術におけるアプリケーションレイヤマルチキャスト構成及びメッセージ伝送プロセスによれば、ＵＥのメディアセッション情報などの、メディアデータは収集されることができない。結果として、それに続く準リアルタイム課金又はトラフィックベース課金プロセスは実施されることができない。
【００１５】
要約すると、本発明を実施するプロセスにおいて、発明者は、従来技術における少なくとも以下の問題を見出した。従来技術におけるアプリケーションレイヤマルチキャスト構成及びメッセージ伝送プロセスによれば、ＵＥのメディアセッション情報などの、メディアデータは、メディア接続プロセスにおいて収集されることができない。
【課題を解決するための手段】
【００１６】
本発明の実施形態は、アプリケーションレイヤマルチキャストネットワークにおいてメディアデータを取得する方法及びシステムを提供する。この方法及びシステムによれば、メディア接続プロセスにおける、ノードのメディアセッション情報などの、メディアデータが収集されることが可能である。
【００１７】
アプリケーションレイヤマルチキャストネットワークにおいてメディアデータを取得する方法は、複数ノード間でメディア接続シグナリングを転送することと、メディア接続シグナリングに従って、ノードのメディアセッション情報を取得することとを含む。
【００１８】
アプリケーションレイヤマルチキャストネットワークにおいて適用されるメディアシグナリングエージェントは、メディア接続プロセスにおいて、ノードから、接続されるピアノードへの、メディア接続シグナリングを受信し、ピアノードにメディア接続シグナリングを送信し、メディア接続シグナリングに従って、ノードのメディアセッション情報を取得するように構成される。
【００１９】
アプリケーションレイヤマルチキャストネットワークにおいてメディアデータを取得するシステムは、メディア接続を確立するノードと、メディアシグナリングエージェントとを含み、メディア接続を確立するノードは、メディア接続プロセスにおいてメディア接続シグナリングを生成するように構成され、メディアシグナリングエージェントは、メディア接続シグナリングを転送し、メディア接続シグナリングに従って、ノードのメディアセッション情報を取得するように構成される。
【００２０】
アプリケーションレイヤマルチキャストネットワークにおける課金方法は、アクセスノードとマルチキャストノードとの間でメディア接続シグナリングを転送することによって取得される、アクセスノードのメディアセッション情報を受信することと、メディアセッション情報、及びセッションプロセスにおけるアクセスノードのセッション情報に従って、呼詳細レコード（ＣＤＲ）を生成することとを含む。
【００２１】
アプリケーションレイヤマルチキャストネットワークにおける課金システムは、セッションプロセスにおいて、アクセスノード及びマルチキャストノードのセッション情報を収集及び報告するように構成された、セッションマネージャと、メディア接続プロセスにおいて、アクセスノードとマルチキャストノードとの間でメディア接続シグナリングを転送し、アクセスノードのメディアセッション情報を収集及び報告するように構成された、メディアシグナリングエージェントと、セッションマネージャによって報告されるセッション情報、及びメディアシグナリングエージェントによって報告されるメディアセッション情報に従って、ＣＤＲを生成するように構成された、使用量メディエータ（ＵＭ）とを含む。
【００２２】
アプリケーションレイヤマルチキャストネットワークにおいてトラフィック情報収集を制御する方法は、メディアシグナリングエージェントによって、メディアシグナリングエージェントと、トラフィックコレクタ又はメディアエージェントとの間のインタフェースを介して、トラフィックコレクタ又はメディアエージェントに、トラフィック情報の収集を開始又は停止するよう指示することを含む。
【００２３】
アプリケーションレイヤマルチキャストネットワークにおいてトラフィック情報報告を制御する方法は、アクセスノードとマルチキャストノードとの間で伝送されるメディアデータストリームをフォワードすることと、メディアデータストリームに従って、トラフィック情報を収集及び報告することとを含む。
【発明の効果】
【００２４】
上述の技術的解決法によれば、本発明の実施形態では、ノードのメディアセッション情報などの、メディアデータが、ノード間でメディア接続シグナリングを転送することによって取得されることが可能であり、従って、それに続く準リアルタイム課金又はトラフィックベース課金がアプリケーションレイヤマルチキャストネットワークにおいて実施される。
【図面の簡単な説明】
【００２５】
【図１】従来技術における、アプリケーションレイヤマルチキャストネットワークの構成を示す。
【図２】従来技術における、マルチキャストツリー内での様々なメッセージ間の関係を示す。
【図３】従来技術における、アクセスノードによるメディアデータストリームの取得の流れ図である。
【図４】本発明の一実施形態における、マルチキャストツリー内の様々な構成要素間の構造的関係を示す。
【図５】本発明の一実施形態における、メディアシグナリングエージェントの構成を示す。
【図６】本発明の一実施形態における、課金方法のフローチャートである。
【図７】本発明の一実施形態における、課金システムの構成を示す。
【図８】本発明の一実施形態における、トラフィック収集を示す概略図である。
【図９】本発明の一実施形態における、図７の構成に従ってトラフィック収集を制御するフローチャートである。
【図１０】本発明の一実施形態における、トラフィック収集を示す別の概略図である。
【図１１】本発明の一実施形態における、図１０の構成に従ってトラフィック収集を制御するフローチャートである。
【図１２】本発明の第１の実施形態における、メディアシグナリングエージェントが追加された後で、アクセスノードによってメディアデータストリームを取得する流れ図である。
【図１３】本発明の第２の実施形態における、トラフィック収集を制御する流れ図である。
【図１４】本発明の第３の実施形態における、トラフィック収集を制御する流れ図である。
【発明を実施するための形態】
【００２６】
本発明の実施形態は、アプリケーションレイヤマルチキャストネットワークにおいてメディアデータを取得する方法及びシステムを提供する。ノードのメディアセッション情報などの、メディアデータは、複数ノード間でメディア接続シグナリングを転送することによって取得されることが可能であり、従って、アプリケーションレイヤマルチキャストネットワークにおいて準リアルタイム課金又はトラフィックベース課金を実施するために、収集されたメディアデータに従って、対応するＣＤＲが生成されることが可能である。
【００２７】
本発明の実施形態では、メディアデータは、複数ノード間でメディア接続シグナリングを転送することによって取得される。具体的には、複数ノードと転送ＩＤとの間のマッピングが確立されてもよい。複数ノードは、アクセスノードとマルチキャストノードとであってもよい。転送ＩＤは、アクセスノードがマルチキャストグループに参加した後で生成されるか、又はアクセスノードのセッションプロセスにおいて生成されてもよい。アクセスノードのメディア接続プロセスにおいて、転送ＩＤに従ってマルチキャストノードが見出されることが可能であり、そして、アクセスノードとマルチキャストノードとの間でメディア接続シグナリングが転送されることが可能である。
【００２８】
アクセスノードと、マルチキャストノードと、転送ＩＤとの間のマッピングは、アクセスノードのアドレスと、マルチキャストノードのアドレスと、転送ＩＤとを結合することによって確立されてもよい。アクセスノードがメディア接続を確立する場合、アクセスノードのアドレスと、転送ＩＤとに従って、マルチキャストノードのアドレスが見出されることが可能である。従って、それらの複数ノード間のメディア接続シグナリングは、第三者によって転送されることが可能である。
【００２９】
メディア接続シグナリングを転送するプロセスにおいて、ノードのメディアセッション情報（すなわち、メディアデータ）が取得されることが可能である。メディアセッション情報は、メディア接続ステータス情報、及びノードラベル情報であってもよい。
【００３０】
本発明の実施形態は、アプリケーションレイヤマルチキャストネットワーク内のメディアシグナリングエージェントを更に提供する。図４は、本発明の一実施形態における、マルチキャストツリー内の様々な構成要素間の構造的関係を示す。アプリケーションレイヤマルチキャストネットワークは、メディアシグナリングエージェントを含む。メディアシグナリングエージェントは、複数ノード間でメディア接続シグナリングを転送し、ノードのメディアセッション情報を取得するように構成される。メディア接続シグナリングを転送するプロセスについては上述した。
【００３１】
図５は、受信ユニットと、処理ユニットと、転送ユニットと、情報取得ユニットとを含む、メディアシグナリングエージェントの構成を示す。受信ユニットは、メディア接続プロセスにおいてノードのメディア接続シグナリングを受信するように構成される。処理ユニットは、メディア接続を確立する複数ノードと、転送ＩＤとの間のマッピングを確立し、複数ノードがメディア接続を確立する際に、転送ＩＤに従ってノードを見出すように構成される。転送ユニットは、処理ユニットによって確立されたマッピングに従って、受信ユニットによって受信されたメディア接続シグナリングを転送するように構成される。情報取得ユニットは、転送ユニットによるメディア接続シグナリングを転送するプロセスにおいて、アクセスノードのメディアセッション情報を取得するように構成される。
【００３２】
メディアシグナリングエージェントは、情報取得ユニットによって取得されたメディアセッション情報を報告するように構成された、情報報告ユニットを更に含んでもよい。メディアセッション情報は、関連データを処理するためにＵＭに報告されることが可能である。
【００３３】
本発明の実施形態は、アプリケーションレイヤマルチキャストネットワークにおいてメディアデータを取得するシステムを更に提供する。システムは、メディア接続を確立するノードと、メディアシグナリングエージェントとを含む。メディア接続を確立するノードは、メディア接続プロセスにおいてメディア接続シグナリング（メディア接続プロセスにおいてアクセスノードとマルチキャストノードとによって生成されるメッセージであってもよい）を生成するように構成される。メディアシグナリングエージェントは、メディア接続シグナリングを転送して、ノードのメディアセッション情報を取得するように構成される。
【００３４】
加えて、アプリケーションレイヤマルチキャストネットワークにおいて課金管理を実施するために、アプリケーションレイヤマルチキャストネットワーク内のＵＥのセッションプロセス及びメディア接続プロセスにおける関連情報が収集される必要がある。情報が収集された後で、準リアルタイム課金がＵＥのために実施されることが可能である。ＵＥがトラフィックによって課金される必要がある場合は、ＵＥのトラフィック情報も収集される必要がある。
【００３５】
本発明の実施形態は、アプリケーションレイヤマルチキャストネットワークにおける課金方法を更に提供する。図６は、本発明の一実施形態における、課金方法のフローチャートである。図６は以下のステップを含む。
【００３６】
ステップ０１：アクセスノードがマルチキャストグループに参加する。アクセスノードによる、マルチキャストグループに参加することを要求するステップは、「背景技術」において説明したステップであってもよい。アクセスノードのセッションプロセスにおいて、ステップ００１が実行されてもよい、すなわち、セッションプロセスにおいて、セッションマネージャが、アクセスノードのセッション情報を収集する。セッション情報は、アクセスノードがマルチキャストグループに参加する、セッションプロセスにおいて生成される情報である。
【００３７】
ステップ０２：アクセスノードは、マルチキャストノードとのメディア接続を確立する。メディアシグナリングエージェントが、アクセスノードとマルチキャストノードとの間でメッセージを転送する。具体的には、メディアシグナリングエージェントは、アクセスノードと、マルチキャストノードと、転送ＩＤとの間のマッピングを確立し、アクセスノードがメディア接続を確立する際に、メディアシグナリングエージェントは、転送ＩＤに従ってマルチキャストノードを見出し、次に、アクセスノードとマルチキャストノードとの間でメッセージを転送する。転送ＩＤは、アクセスノードがマルチキャストグループに参加した後で生成されるか、又はアクセスノードのセッションプロセスにおいて生成されてもよい。アクセスノードと、マルチキャストノードと、転送ＩＤとの間のマッピングは、アクセスノードのアドレスと、マルチキャストノードのアドレスと、転送ＩＤとを結合することによって確立されてもよい。アクセスノードがメディア接続を確立する場合、アクセスノードのアドレスと、転送ＩＤとに従って、マルチキャストノードのアドレスが見出されることが可能である。従って、アクセスノードとマルチキャストノードとの間で交換される情報、すなわち、メッセージは、第三者によって転送されることが可能である。
【００３８】
アクセスノードのメディア接続プロセスにおいて、ステップ００２が実行されてもよい、すなわち、メディアシグナリングエージェントが、アクセスノードのメディアセッション情報を収集する。メディアセッション情報は、メディア接続プロセスにおいてアクセスノードによって生成される情報である。メディアセッション情報は、メディア接続ステータス情報、及びアクセスノードのラベル情報であってもよい。
【００３９】
ステップ０３：アクセスノードは、マルチキャストグループを離脱する。マルチキャストグループを離脱することを要求するステップは、「背景技術」において説明したステップであってもよい。
【００４０】
ステップ００３：ＵＭは、収集されたメディアセッション情報及びセッション情報に従ってＣＤＲを生成して、課金を完了する。セッションプロセスにおけるアクセスノードのセッション情報、及びアクセスノードのメディアセッション情報が、ステップ００１及び００２において収集された後で、情報に従って準リアルタイム課金ＣＤＲが生成され、課金プロセス全体が完了する。
【００４１】
加えて、アクセスノードのメディア接続プロセスにおいて、ステップ００４が実行されてもよい、すなわち、メディア接続プロセスにおいて、ＵＭが、アクセスノードのトラフィック情報を収集する。次に、トラフィック情報に従って、トラフィックベース課金ＣＤＲが更に生成されてもよく、そして、課金プロセスは完了する。
【００４２】
本発明の一実施形態は、アプリケーションレイヤマルチキャストネットワークにおける課金システムを更に提供する。図７は、課金システムの構成を示す。図７において、課金システムは、セッションマネージャと、メディアシグナリングエージェントと、ＵＭとを含む。セッションマネージャは、セッションプロセスにおけるアクセスノードのセッション情報を収集及び報告するように構成される。セッションマネージャは、マルチキャストネットワーク内の全てのノードと相互に作用して、アクセスノードの参加及び離脱と、コンテンツの照会及び発行と、マルチキャストツリーの管理とを完了する。加えて、セッションマネージャは、セッションプロセスにおけるアクセスノードのセッション情報を収集して、ＵＭに報告する。
【００４３】
メディアシグナリングエージェントは、メディア接続プロセスにおいて、アクセスノードとマルチキャストノードとの間でメッセージを転送し、アクセスノードのメディアセッション情報を収集及び報告するように構成される。具体的には、アクセスノードのメディア接続プロセスにおいて、メディアシグナリングエージェントは、転送ＩＤ（エージェントセッションＩＤ）を生成してもよい。次に、メディアシグナリングエージェントは、アクセスノードと、マルチキャストノードと、転送ＩＤとの間のマッピングを確立し、例えば、メディアシグナリングエージェントは、アクセスノードのアドレスと、マルチキャストノードのアドレスと、転送ＩＤとを結合する。メディア接続を確立する場合、アクセスノードは、メディアシグナリングエージェントに接続される。メディアシグナリングエージェントは、転送ＩＤに従ってマルチキャストノードを見出し、次に、アクセスノードとマルチキャストノードとの間でメッセージを転送する。従って、メディアシグナリングエージェントは、アクセスノードとマルチキャストノードとの間で交換される情報を転送し、メディア接続プロセスにおけるメディアセッション情報を収集して、ＵＭに報告する。
【００４４】
図４は、メディアシグナリングエージェントが追加された後のマルチキャストツリー内で伝送される様々なメッセージの間の関係も示す。メディアシグナリングエージェントは、全てのマルチキャストノードのメディア接続プロセスに関与する。従って、セッションマネージャは、アクセスノードのセッション情報を収集するように構成され、メディアシグナリングエージェントは、アクセスノードのメディアセッション情報を収集するように構成され、かくして、準リアルタイム課金のために必要とされる情報が収集される。
【００４５】
ＵＭは、報告されたセッション情報及びメディアセッション情報に従って準リアルタイムＣＤＲを生成して、課金プロセス全体を完了するように構成される。ＵＭは、情報収集ユニットとＣＤＲ生成ユニットとを含む。情報収集ユニットは、報告された情報を収集するように構成される。情報は、セッション情報、メディアセッション情報、又はトラフィック情報であってもよい。ＣＤＲ生成ユニットは、報告された情報に従って、対応するＣＤＲを生成して、課金プロセスを完了するように構成される。
【００４６】
加えて、課金システムは、メディア接続プロセスにおいてアクセスノードのトラフィック情報を収集及び報告するように構成された、トラフィックコレクタを更に含んでもよい。図８は、トラフィックコレクタが追加された後のトラフィック収集を示す概略図である。トラフィックコレクタは、ブロードバンドリモートアクセスサーバ（ＢＲＡＳ）、又はメディアゲートウェイ（ＭＧ）などのその他の装置であってもよい。トラフィック情報が収集された場合、ＵＭは、報告されたトラフィック情報に従ってトラフィックベース課金ＣＤＲを生成して、課金プロセスを完了する。
【００４７】
トラフィックコレクタとメディアシグナリングエージェントとの間にインタフェースが更に構成されてもよく、インタフェースは、メディアシグナリングエージェントが、トラフィックコレクタを、トラフィック情報を収集するよう制御するように構成される。
【００４８】
メディアシグナリングエージェントが、トラフィックコレクタを、トラフィック情報を収集するよう制御する方法のフローチャートを、図９に示す。図９は以下のステップを含む。
【００４９】
ステップ０１０：アクセスノードはマルチキャストノードとのメディア接続を確立する。メディア接続プロセスにおいて交換されるメッセージは、メディアシグナリングエージェントによって転送される。
【００５０】
ステップ０１１：アクセスノードとマルチキャストノードとは、メディアデータストリームを伝送する。同時に、メディアシグナリングエージェントは、トラフィックコレクタに、トラフィック情報を収集するよう指示する。アクセスノードとマルチキャストノードとの間で交換されるメッセージは、メディアシグナリングエージェントによって転送される。従って、メディアシグナリングエージェントは、アクセスノードとマルチキャストノードとの間でメディアデータストリームを伝送する時間を正確に認識する。アクセスノードとマルチキャストノードとがメディアデータストリームを伝送する場合、メディアシグナリングエージェントは、トラフィックコレクタとメディアシグナリングエージェントとの間のインタフェースを使用して、トラフィックコレクタに、トラフィック情報を収集するよう指示する。
【００５１】
ステップ０１２：トラフィックコレクタは、収集したトラフィック情報をＵＭに報告する。
【００５２】
ステップ０１３：アクセスノードとマルチキャストノードとは、メディアデータストリームの伝送を停止する。同時に、メディアシグナリングエージェントは、トラフィックコレクタに、トラフィック情報の収集を停止するよう指示する。トラフィックコレクタは、トラフィック情報の報告を停止する。アクセスノードとマルチキャストノードとがメディアデータストリームの伝送を停止したことを認識した場合、メディアシグナリングエージェントは、構成されたインタフェースを使用して、トラフィックコレクタに、トラフィック情報の収集を停止するよう指示する。
【００５３】
上述の制御方法を介して、メディアシグナリングエージェントは、トラフィックコレクタを、トラフィック情報を収集するよう制御することができる。関連するトラフィック情報を収集した後で、トラフィックコレクタは、収集したトラフィック情報をＵＭに報告する。ＵＭは、報告されたトラフィック情報に従ってトラフィックベース課金ＣＤＲを生成して、課金プロセスを完了する。
【００５４】
加えて、課金システムは、メディアエージェントを更に含んでもよく、メディアエージェントは、アクセスノードとマルチキャストノードとの間で伝送されるメディアデータストリームをフォワードし、フォワードされたメディアデータストリームに従ってトラフィック情報を取得し、取得したトラフィック情報をＵＭに報告するように構成される。図１０は、メディアエージェントが追加された後のトラフィック収集を示す概略図である。図１０において、メディアエージェントが追加された後、アクセスノードとマルチキャストノードとの間で伝送されるメディアデータストリームは、全てメディアエージェントによってフォワードされる。メディアエージェントは、転送されたメディアデータストリームのトラフィック情報をＵＭに報告する。ＵＭは、報告されたトラフィック情報に従ってトラフィックベース課金ＣＤＲを生成して、課金プロセスを完了する。
【００５５】
メディアエージェントとメディアシグナリングエージェントとの間にインタフェースが構成され、インタフェースは、メディアシグナリングエージェントが、メディアエージェントを、トラフィック情報を報告するよう制御するように構成される。
【００５６】
メディアシグナリングエージェントが、メディアエージェントを、トラフィック情報を報告するよう制御する方法のフローチャートを、図１１に示す。図１１は以下のステップを含む。
【００５７】
ステップ０２０：メディアエージェントは、メディアデータストリームをフォワードするためのリソースを割り当てる。アクセスノードとマルチキャストノードとの間のメディア接続のプロセスにおいて、メディアシグナリングエージェントは、対応する交換されるメッセージを転送し、メディアエージェントとメディアシグナリングエージェントとの間に構成されたインタフェースを使用して、メディアデータストリームをフォワードするためのリソースを要求する。要求を受信した後、メディアエージェントは、メディアデータストリームをフォワードするための対応するリソースを割り当てる。
【００５８】
ステップ０２１：アクセスノードとマルチキャストノードとは、メディアデータストリームを伝送する。同時に、メディアシグナリングエージェントは、メディアエージェントに、アクセスノードとマルチキャストノードとの間で伝送されるメディアデータストリームをフォワードするよう指示する。アクセスノードとマルチキャストノードとがメディアデータストリームの伝送を開始したことを認識したら、メディアシグナリングエージェントは、構成されたインタフェースを使用して、メディアエージェントに、伝送されるメディアデータストリームをフォワードするよう指示する。指示を受信した後、メディアエージェントは、メディアデータストリームをフォワードするために割り当てられたリソースを使用して、メディアデータストリームをフォワードする。
【００５９】
ステップ０２２：メディアエージェントは、フォワードしたメディアデータストリームのトラフィック情報をＵＭに報告する。
【００６０】
ステップ０２３：アクセスノードとマルチキャストノードとは、メディアデータストリームの伝送を停止する。同時に、メディアシグナリングエージェントは、メディアエージェントに、メディアデータストリームのフォワードを停止するよう指示する。メディアエージェントは、更に、トラフィック情報の報告を停止し、メディアデータストリームをフォワードするために割り当てられたリソースを解放する。
【００６１】
上述の方法を介して、メディアエージェントがノードの各グループのセッションに従ってトラフィック情報を収集及び報告するのを容易にするために、メディアシグナリングエージェントとメディアエージェントとの間にインタフェースが追加されてもよく、それにより、メディアエージェントは、現在のメディアデータトラフィックが発生している複数ノードを正確に認識することができる。従って、メディアエージェントは、必要とされるメディアデータストリームをフォワードし、関連するトラフィック情報をＵＭに報告する。ＵＭは、報告されたトラフィック情報に従ってトラフィックベース課金ＣＤＲを生成して、課金プロセスを完了する。
【００６２】
具体的な実施形態を参照して、技術的解決法について以下で更に説明する。
【００６３】
第１の実施形態：この実施形態では、メディアシグナリングエージェントが追加された後のアプリケーションレイヤマルチキャストネットワークにおいて、準リアルタイム課金が実施される。図１２は、メディアシグナリングエージェントが追加された後で、アクセスノードによってメディアデータストリームを取得する流れ図である。図１２は以下のステップを含む。
【００６４】
ステップ１：アクセスノードは、セッションマネージャに、マルチキャストグループに参加することの要求を送信する。
【００６５】
ステップ２：認証の後で、セッションマネージャは、アクセスノードをマルチキャストグループに参加させ、次に、確認メッセージ、すなわち、２００  ＯＫメッセージを介して、アクセスノードに、参加が成功したことを通知する。
【００６６】
ステップ３：アクセスノードは、セッションマネージャに、サービングマルチキャストノードを要求する。
【００６７】
ステップ４：セッションマネージャは、アクセスノードのためのサービングマルチキャストノードを選択し、そして、メディアシグナリングエージェントを選択する。
【００６８】
ステップ５：セッションマネージャは、メディアシグナリングエージェントに、転送ＩＤ（エージェントセッションＩＤ）を要求し、そして、メディアシグナリングエージェントに、アクセスノードのアドレスとマルチキャストノードのアドレスとを送信する。
【００６９】
ステップ６：メディアシグナリングエージェントは、エージェントセッションＩＤを生成し、アクセスノードのアドレスとマルチキャストノードのアドレスとを、エージェントセッションＩＤと結合し、次に、セッションマネージャに、エージェントセッションＩＤを返す。
【００７０】
ステップ７：セッションマネージャは、アクセスノードに、メディアシグナリングエージェントのアドレスとエージェントセッションＩＤとを返す。
【００７１】
ステップ８：アクセスノードは、メディアシグナリングエージェントに、エージェントセッションＩＤを運ぶ接続メッセージを送信する。
【００７２】
ステップ９：メディアシグナリングエージェントは、エージェントセッションＩＤに従ってマルチキャストノードを見出し、交換されるメッセージを転送する。
【００７３】
ステップ１０：マルチキャストノードは、アクセスノードと、メディアパラメータをネゴシエートし、アクセスノードに、メディアデータストリームを伝送する。図１２では、マルチキャストノードは、ＲＴＰを介してメディアデータストリームを伝送する。
【００７４】
ステップ１１：アクセスノードは、マルチキャストグループを離脱できる状態にあり、アクセスノードの離脱をセッションマネージャに通知する。
【００７５】
ステップ１２：セッションマネージャは、アクセスノードの離脱を管理し、次に、アクセスノードに、確認メッセージ、すなわち、２００  ＯＫメッセージを返す。
【００７６】
ステップ１３：アクセスノードは、メディアシグナリングエージェントとのメディア接続を切断するよう要求する。
【００７７】
ステップ１４：メディアシグナリングエージェントは、マルチキャストノードに、メディア接続を切断するよう指示する。
【００７８】
接続及び伝送プロセス全体において、メディアシグナリングエージェントは、アクセスノードとマルチキャストノードとの間のメディア接続のプロセスに関与する。従って、セッションマネージャは、アクセスノードのセッション情報を収集及び報告することができ、メディアシグナリングエージェントは、アクセスノードのメディアセッション情報を収集及び報告することができ、ＵＭは、報告されたセッション情報及びメディアセッション情報に従って準リアルタイム課金ＣＤＲを生成して、準リアルタイム課金プロセスを完了することができる。
【００７９】
第２の実施形態：第１の実施形態に基づいて、トラフィックコレクタが追加される。この実施形態では、トラフィックコレクタはＢＲＡＳである。トラフィックベース課金が、メディアデータストリームを伝送するプロセスにおいてトラフィック情報を収集することによって、アプリケーションレイヤマルチキャストネットワークにおいて実施される。
【００８０】
トラフィック情報がＢＲＡＳを介して収集される場合、全てのネットワークトラフィックがＢＲＡＳを通過する必要がある。従って、ＢＲＡＳは、全てのデータトラフィック情報を収集することができる。ただし、ＢＲＡＳは、サービスを正確に識別することはできず、サービスベースのトラフィックの細かい統計を別々に作成することもできない。トラフィック情報がＢＲＡＳを介して収集される場合、非常に重要なことは、必要とされるトラフィック情報を収集するようＢＲＡＳを制御することである。従って、対応するインタフェースが、メディアシグナリングエージェントとＢＲＡＳとの間に構成される。インタフェースは、メディアシグナリングエージェントが、ＢＲＡＳに、トラフィック情報の収集を開始又は停止するよう通知するように構成される。対応するコマンドを受信した後で、ＢＲＡＳは、コマンドの要求に従って、関連するトラフィック情報を収集及び報告するか、又はトラフィック情報の収集を停止する。図１３は、トラフィック情報の収集及び報告の流れ図である。図１３は以下のステップを含む。
【００８１】
ステップ１：アクセスノードは、ＢＲＡＳへのメディア接続プロセスを開始する。
【００８２】
ステップ２：ＢＲＡＳは、メディアシグナリングエージェントに、メッセージをトランスペアレントに伝送する。
【００８３】
ステップ３：メディアシグナリングエージェントは、ＢＲＡＳを介して、マルチキャストノードに、メッセージを転送する。
【００８４】
ステップ４：マルチキャストノードは、メディアパラメータをネゴシエートし、ＢＲＡＳ及びメディアシグナリングエージェントを介して、イニシエータ、すなわち、アクセスノードに、メディアパラメータを返す。
【００８５】
ステップ５：アクセスノードは、再生を指示するため、すなわち、データストリームの伝送を指示するための、Ｐｌａｙコマンドを発する。
【００８６】
ステップ６：メディアシグナリングエージェントは、Ｐｌａｙコマンドを転送し、ＢＲＡＳに、トラフィック情報の収集を開始するよう指示する。
【００８７】
ステップ７：ＢＲＡＳは、トラフィック情報の収集を開始し、収集したトラフィック情報をＵＭに報告する。
【００８８】
ステップ８：アクセスノードは、メディアストリームの切断を指示するために、メディアシグナリングエージェントに、ＴｅａｒＤｏｗｎコマンドを発する。
【００８９】
ステップ９：メディアシグナリングエージェントは、マルチキャストノードに、ＴｅａｒＤｏｗｎコマンドを転送し、ＢＲＡＳに、トラフィック情報の収集を停止するよう指示する。
【００９０】
上述の方法を介して、ＵＭは、ＢＲＡＳによって報告されたトラフィック情報に従ってトラフィックベース課金ＣＤＲを生成して、課金プロセス全体を完了することができる。
【００９１】
第３の実施形態：アプリケーションレイヤマルチキャストネットワークにおけるトラフィックベース課金を例として示す。この実施形態では、メディアエージェントが、関連するトラフィック情報を報告するように構成される。メディアエージェントが追加された後、アクセスノードとマルチキャストノードとの間で伝送されるメディアデータストリームは、メディアエージェントによってフォワードされる。メディアエージェントは、転送されたトラフィックの情報を、ＵＭに報告する。メディアエージェントとメディアシグナリングエージェントとの間にインタフェースが構成され、インタフェースは、メディアシグナリングエージェントが、メディアエージェントを、トラフィック情報を報告するよう制御するように構成される。図１４は、トラフィック情報の収集及び報告の流れ図である。図１４は以下のステップを含む。
【００９２】
ステップ１：アクセスノードは、メディアシグナリングエージェントへのメディア接続プロセスを開始する。
【００９３】
ステップ２：メディアシグナリングエージェントは、メディアエージェントに、メディアリソースを要求する。アクセスノードは、メディアエージェントと、メディアパラメータをネゴシエートする。
【００９４】
ステップ３：メディアエージェントは、現在のセッションを記録し、セッションリソースを割り当て、リソース割り当て結果及びネゴシエーション結果をメディアシグナリングエージェントに返す。
【００９５】
ステップ４：メディアシグナリングエージェントは、マルチキャストノードに、メディア接続シグナリングを転送し、マルチキャストノードに、現在のメディアエージェントとメディアパラメータをネゴシエートするよう指示する。
【００９６】
ステップ５：マルチキャストノードは、メディアパラメータをネゴシエートし、メディアパラメータを返す。
【００９７】
ステップ６：メディアシグナリングエージェントは、イニシエータ、すなわち、アクセスノードに、結果を転送する。
【００９８】
ステップ７：アクセスノードは、データストリームの伝送を要求するための、Ｐｌａｙコマンドを発する。
【００９９】
ステップ８：メディアシグナリングエージェントは、マルチキャストノードに、Ｐｌａｙコマンドを転送して、マルチキャストノードに、メディアエージェントにメディアストリームをプッシュするよう指示する。
【０１００】
ステップ９：メディアシグナリングエージェントは、メディアエージェントに、遷移状態に留まって、メディアデータストリームをフォワードすることを待機するよう指示する。
【０１０１】
ステップ１０：マルチキャストノードは、メディアエージェントに、データストリームをプッシュする。
【０１０２】
ステップ１１：メディアエージェントは、アクセスノードに、データストリームをフォワードし、ＵＭに、メディアトラフィック情報を報告する。
【０１０３】
ステップ１２：アクセスノードは、メディアストリームの切断を指示するために、メディアシグナリングエージェントに、ＴｅａｒＤｏｗｎコマンドを発する。
【０１０４】
ステップ１３：メディアシグナリングエージェントは、メディアエージェントに、メディアデータストリームのフォワードを停止するよう指示し、ローカルに割り当てられたエージェントリソースを削除する。
【０１０５】
ステップ１４：メディアシグナリングエージェントは、マルチキャストノードに、メッセージを転送する。
【０１０６】
上述の方法を介して、ＵＭは、報告されたトラフィック情報に従ってトラフィックベース課金ＣＤＲを生成して、課金プロセス全体を完了することができる。
【０１０７】
第２及び第３の実施形態で説明した２つのトラフィックベース課金方法は、異なるシナリオにおいて使用されるべきである。ＢＲＡＳを介したトラフィックベース課金では、ＢＲＡＳとメディアシグナリングエージェントとの間のインタフェースが開かれる必要があり、そして、配備の間、ＢＲＡＳによるサポートが要求される。メディアエージェントを介したトラフィックベース課金では、既存のベアラネットワークに対する変更が行われる必要はない。
【０１０８】
当業者は、上述の実施形態におけるステップの全部又は一部が、プログラムによって命令されるハードウェアを介して実行されてもよいということを理解することができる。プログラムは、読み出し専用メモリ／ランダムアクセスメモリ（ＲＯＭ／ＲＡＭ）、磁気ディスク、及びコンパクトディスクなどの、コンピュータ読み取り可能な記憶媒体内に記憶されてもよい。
【０１０９】
要約すると、本発明によれば、ノードのメディアセッション情報などのメディアデータが取得されることが可能であり、収集されたメディアデータに従って、対応するＣＤＲが生成されることが可能であり、従って、アプリケーションレイヤマルチキャストネットワークにおいて準リアルタイム課金又はトラフィック課金が実施される。
【０１１０】
本発明について、いくつかの例示的実施形態を介して説明してきたが、本発明はそのような実施形態に限定されない。本発明の精神及び範囲から逸脱することなく当業者が本発明に対して様々な修正及び変形を行うことができることは明白である。本発明は、それらの修正及び変形を、それらが特許請求の範囲又はその均等物によって規定される保護範囲内に入るならば、包含することを意図するものである。
【図１】
2010532116.tif 000003
【図２】
2010532116.tif 000004
【図３】
2010532116.tif 000005
【図４】
2010532116.tif 000006
【図５】
2010532116.tif 000007
【図６】
2010532116.tif 000008
【図７】
2010532116.tif 000009
【図８】
2010532116.tif 000010
【図９】
2010532116.tif 000011
【図１０】
2010532116.tif 000012
【図１１】
2010532116.tif 000013
【図１２】
2010532116.tif 000014
【図１３】
2010532116.tif 000015
【図１４】
2010532116.tif 000016
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
複数ノード間でメディア接続シグナリングを転送することと、
前記メディア接続シグナリングに従って、ノードのメディアセッション情報を取得すること
を含む、アプリケーションレイヤマルチキャストネットワークにおいてメディアデータを取得する方法。
【請求項２】
複数ノード間での前記メディア接続シグナリングを転送することは、
メディア接続を確立する複数ノードと、転送ＩＤとの間のマッピングを確立し、前記複数ノードが前記メディア接続を確立する際に、前記メディア接続シグナリング内の送信側ノード情報と、転送ＩＤと、マッピングとに従って、ノードを見出し、前記見出されたノードに、前記複数ノード間の前記メディア接続シグナリングを転送することを含む、請求項１に記載の方法。
【請求項３】
前記メディアセッション情報は、メディア接続ステータス情報と、ノードラベル情報とを含む、請求項１に記載の方法。
【請求項４】
アプリケーションレイヤマルチキャストネットワークにおいて適用されるメディアシグナリングエージェントであって、メディア接続プロセスにおいて、ノードから、接続されるピアノードへの、メディア接続シグナリングを受信し、前記ピアノードに前記メディア接続シグナリングを送信し、前記メディア接続シグナリングに従って、前記ノードのメディアセッション情報を取得するように構成された、メディアシグナリングエージェント。
【請求項５】
前記メディア接続プロセスにおいて前記ノードの前記メディア接続シグナリングを受信するように構成された、受信ユニットと、
メディア接続を確立する複数ノードと、転送ＩＤとの間のマッピングを確立し、前記複数ノードが前記メディア接続を確立する際に、前記メディア接続シグナリング内の送信側ノード情報と、前記転送ＩＤとに従って、ノードを見出すように構成された、処理ユニットと、
前記処理ユニットによって見出された前記ノードに、前記受信ユニットによって受信された前記メディア接続シグナリングを送信するように構成された、転送ユニットと、
前記転送ユニットによる、前記メディア接続シグナリングを転送するプロセスにおいて、前記ノードの前記メディアセッション情報を取得するように構成された、情報取得ユニットと
を備える、請求項４に記載のメディアシグナリングエージェント。
【請求項６】
前記情報取得ユニットによって取得された前記メディアセッション情報を報告するように構成された、情報報告ユニット
を更に備える、請求項５に記載のメディアシグナリングエージェント。
【請求項７】
アプリケーションレイヤマルチキャストネットワークにおいてメディアデータを取得するシステムであって、
メディア接続を確立するノードと、請求項４〜請求項６の何れか１項記載のメディアシグナリングエージェントとを備え、前記ノードは、メディア接続プロセスにおいてメディア接続シグナリングを生成するように構成された、システム。
【請求項８】
前記メディアシグナリングエージェントは、
前記メディア接続プロセスにおいて前記ノードの前記メディア接続シグナリングを受信するように構成された、受信ユニットと、
前記メディア接続を確立する複数ノードと、転送ＩＤとの間のマッピングを確立し、前記複数ノードが前記メディア接続を確立する際に、前記メディア接続シグナリング内の送信側ノード情報と、前記転送ＩＤとに従って、ノードを見出すように構成された、処理ユニットと、
前記処理ユニットによって見出された前記ノードに、前記受信ユニットによって受信された前記メディア接続シグナリングを送信するように構成された、転送ユニットと、
前記受信ユニットによって受信された前記メディア接続シグナリングに従って、前記ノードの前記メディアセッション情報を取得するように構成された、情報取得ユニットと
を備える、請求項７に記載のシステム。
【請求項９】
前記メディアセッション情報、及びセッションプロセスにおける前記アクセスノードのセッション情報に従って、呼詳細レコード（ＣＤＲ）を生成すること
を更に含む、請求項１記載の方法。
【請求項１０】
メディア接続プロセスにおいて、前記アクセスノードのトラフィック情報を収集し、前記トラフィック情報に従って、トラフィックベース課金ＣＤＲを生成することを更に含む、請求項９に記載の方法。
【請求項１１】
セッションプロセスにおいて、アクセスノード及びマルチキャストノードのセッション情報を収集及び報告するように構成された、セッションマネージャと、
請求項６記載のメディアシグナリングエージェントと、
前記セッションマネージャによって報告される前記セッション情報、及び前記メディアシグナリングエージェントによって報告される前記メディアセッション情報に従って、呼詳細レコード（ＣＤＲ）を生成するように構成された、使用量メディエータ（ＵＭ）と
を備える、アプリケーションレイヤマルチキャストネットワークにおける課金システム。
【請求項１２】
前記メディア接続プロセスにおいて前記アクセスノードのトラフィック情報を収集及び報告するように構成された、トラフィックコレクタを更に備え、
前記ＵＭは、前記トラフィックコレクタによって報告される前記トラフィック情報に従って、トラフィックベース課金ＣＤＲを生成するように構成された、請求項１１に記載の課金システム。
【請求項１３】
前記トラフィックコレクタと前記メディアシグナリングエージェントとの間にインタフェースが構成され、前記インタフェースは、前記メディアシグナリングエージェントが、前記トラフィックコレクタを、トラフィック情報を収集するよう制御するように構成された、請求項１２に記載の課金システム。
【請求項１４】
前記アクセスノードと前記マルチキャストノードとの間でメディアデータストリームをフォワードし、前記フォワードされたメディアデータストリームのトラフィック情報を前記ＵＭに報告するように構成された、メディアエージェントと、
前記メディアエージェントと前記メディアシグナリングエージェントとの間に構成され、前記メディアシグナリングエージェントが、前記メディアエージェントを、トラフィック情報を報告するよう制御するように構成された、インタフェースと
を更に備える、請求項１１に記載の課金システム。
【請求項１５】
アクセスノードとマルチキャストノードとの間でメディアデータストリームをフォワードすることと、
前記メディアデータストリームに従って、トラフィック情報を収集及び報告すること
を更に含む、請求項１記載の方法。
【国際調査報告】
2010532116.tif 000017
2010532116.tif 000018
2010532116.tif 000019
2010532116.tif 000020
2010532116.tif 000021
2010532116.tif 000022
2010532116.tif 000023
2010532116.tif 000024